【事件の表示】
　特願２０１１−５０２０４７「データチャネルのＡＣＫ／ＮＡＫ送信のコンステレーションサイズを制限するためのスクランブリング及び変調」拒絶査定不服審判事件〔平成２１年１０月　１日国際公開、ＷＯ２００９／１２０８４８、平成２３年　５月１９日国内公表、特表２０１１−５１６００８〕について、次のとおり審決する。
【結　論】
　本件審判の請求は、成り立たない。
【理　由】
第１　手続の経緯
　本願は，２００９年３月２６日（パリ条約による優先権主張外国庁受理　２００８年３月２６日　米国，２００９年３月２５日　米国）を国際出願日とする出願であって，平成２５年３月２６日付けで拒絶査定がなされ，これに対し，同年８月２日に拒絶査定に対する審判請求がなされるとともに同日付けで手続補正がなされたものである。
　そして，審査官が作成した平成２５年８月２９日付け前置報告書を添付した同年９月１８日付けの審尋に対し，平成２６年３月２０日付けで回答書が提出された。
　
　
第２　補正却下の決定
［結論］
　平成２５年８月２日付けの手続補正を却下する。
　
［理由］
１　本願発明と補正後の発明
　平成２５年８月２日付けの手続補正（以下，「本件補正」という。）は，平成２４年１１月１９日付け手続補正書により補正された特許請求の範囲の請求項１に記載された
「【請求項１】
　肯定応答（ACK）に関するユークリッド距離を最大にすることに関する方法であって，
　ビットシーケンスを得るための変調オーダー及び，前記ACKのサイズの関数としてACK送信を符号化することと，
　前記変調オーダーの関数として２つ以上のビットシーケンスを結合することと，
　前記ACK送信及び前記変調オーダーの前記サイズの関数として前記結合したビットシーケンスをスクランブリングすること，前記スクランブリングはデータチャネルに組み込まれた前記ACK送信のコンステレーションサイズを制限する，と
　前記少なくとも一つの装置からパケットの受信に応答してACK送信を前記少なくとも一つの装置に送信することと，
　を具備する方法。」
という発明（以下，「本願発明」という。）を，
「【請求項１】
　肯定応答（ACK）に関するユークリッド距離を最大にすることに関する方法であって，
　ビットシーケンスを得るための変調オーダー及び，前記ACKのサイズの関数としてACK送信を符号化することと，
　前記変調オーダーの関数として２つ以上のビットシーケンスを結合することと，
　前記ACK送信及び前記変調オーダーの前記サイズの関数として前記結合したビットシーケンスをスクランブリングすること，前記スクランブリングは
前記ACK送信の前記サイズに基づいて
前記ACK送信の前記サイズは前記コンステレーションの角が得られるように前記変調オーダーより小さい，
　少なくとも一つの装置からパケットの受信に応答してACK送信を前記少なくとも一つの装置に送信することと，
　を具備する方法。」
という発明（以下，「補正後の発明」という。）に変更することを含むものである。
（［当審注］：下線部は，補正箇所を示すために平成２５年８月２日付け手続補正書に記載されたものを援用している。）
　
２　補正の適否
（１）新規事項の有無，シフト補正の有無，補正の目的要件
　上記補正は，出願当初の明細書，特許請求の範囲又は図面に記載された事項の範囲内において，本願発明の「前記スクランブリングはデータチャネルに組み込まれた前記ACK送信のコンステレーションサイズを制限する」を「前記スクランブリングは前記ACK送信の前記サイズに基づいてデータチャネルに組み込まれた前記ACK送信のコンステレーションサイズを制限する」と限定し，また，ACK送信のサイズについて「前記ACK送信の前記サイズは前記コンステレーションの角が得られるように前記変調オーダーより小さい」との限定を付して，特許請求の範囲を減縮するものである。
　したがって，上記補正は，特許法第１７条の２第３項及び第４項の規定に適合することは明らかであり，また，同法第１７条の２第５項第２号に掲げる特許請求の範囲の減縮を目的とするものに該当する。
　
（２）独立特許要件
　上記補正は，特許請求の範囲の減縮を目的とするものであるから，補正後の発明が特許出願の際独立して特許を受けることができるものであるのか否かについて，以下検討する。
　
ア　補正後の発明
　上記「１　本願発明と補正後の発明」の項の「補正後の発明」のとおりのものと認める。
　
イ　引用発明及び公知事項
［引用発明］
　原査定の拒絶理由に引用された3GPP TS36.212，２００８年３月１８日，p.20-25，ＵＲＬ，http://www.3gpp.org/ftp/Specs/archive/36_series/36.212/36212-820.zip（以下，「引用例１」という。）には，「Multiplexing and channel coding(Release 8)」（［当審仮訳］：多重化及びチャネル符号化（リリース８））に関し，図面とともに以下の事項が記載されている。
　
（ア）「
」（２２〜２３頁）
（［当審仮訳］：
５．２．２．６　制御情報のチャネル符号化
　データ伝送と多重されるときの制御情報の符号化率は，変調方式及びＵＬ−ＳＣＨ伝送のために使用される符号化率により与えられる。制御情報のための異なる符号化レートは，その伝送のために異なる数の符号化シンボルを割り当てることによって達成される。
　上りリンク共有データチャネルでのデータ伝送と多重化されるとき，ＨＡＲＱ−ＡＣＫ及びチャネル品質情報のためのチャネル符号化o0，o1，o2，・・・，oO-1は独立して行われる。
　
ＨＡＲＱ−ＡＣＫ情報について
　−　ＨＡＲＱ−ＡＣＫが１ビットの情報からなる場合は，すなわち，[o0ACK]の場合は，まず表５．２．２−１に従って符号化される。
　−　ＨＡＲＱ−ＡＣＫが２ビットの情報からなる場合は，すなわち，[o1ACK o0ACK]の場合は，まず表５．２．２−２に従って符号化される。
　
［編集者からの注：上記「ｘ」は，符号化ビットのスクランブルを実行する際にこの値のビットを違った扱いをする２１１のプレースホルダである。これは，ＰＵＳＣＨにおけるＡＣＫ送信のために使用されるコンステレーションサイズをＱＰＳＫに制限することを可能にする。］
　
　ビットシーケンスq0ACK，q1ACK，q2ACK，・・・，qQACK-1ACKは，多数の符号化されたＨＡＲＱ−ＡＣＫブロックを連結したものである。ここでQACKは全ての符号化されたＨＡＲＱ−ＡＣＫブロックの符号化ビット数の合計である。ＨＡＲＱ−ＡＣＫ情報に対するチャンネル符号化のベクトルシーケンス出力は，q_0ACK，q_1ACK，・・・，q_Q'ACK-1ACKと表され，ここで，Q'ACK = QACK / Qmであり，以下のように求められる。
　（手順の仮訳は省略）　　）
　
　引用例１の上記記載及び図面並びにこの分野の技術常識を考慮すると，
ａ　ＨＡＲＱ−ＡＣＫ情報は，１ビットの情報[o0ACK]からなる場合は，表５．２．２−１に従って，Qm が２の場合は[o0ACK x]，Qm が４の場合は[o0ACK x x x]，Qm が６の場合は[o0ACK x x x x x]と符号化され，２ビットの情報[o1ACK o0ACK]からなる場合は，表５．２．２−２に従って，Qm が２の場合は[o1ACK o0ACK]，Qm が４の場合は[o1ACK o0ACK x x]，Qm が６の場合は[o1ACK o0ACK x x x x]と符号化されるものである。したがって，ＡＣＫのビット数及びQmに基づいて符号化を行っているといえる。ここで，「Qm」に関して，引用例１の１７頁１０行に「where Qm is equal to 2 for QPSK, 4 for 16QAM and 6 for 64QAM」（［当審仮訳］：ここで，Qmは，ＱＰＳＫに対しては２，１６ＱＡＭに対しては４，６４ＱＡＭに対しては６に等しい。）と記載されていることからも，「Qm」は各変調方式の変調オーダーに対応していることは明らかである。
　そして，多数の符号化されたＨＡＲＱ−ＡＣＫブロックを連結してビットシーケンスq0ACK，q1ACK，q2ACK，・・・，qQACK-1ACKを得ており，当該ビットシーケンスはＡＣＫ送信のビットシーケンスといえる。また，「QACK」は全ての符号化されたＨＡＲＱ−ＡＣＫブロックの符号化ビット数の合計であるから，表５．２．２−１，表５．２．２−２に従って符号化された符号化ビットのビットシーケンスを連結していること，すなわち，符号化を行って得たＡＣＫ送信の２つ以上のビットシーケンスを連結していることは明らかである。
　したがって，引用例１には「変調オーダー及びＡＣＫのビット数に基づいて符号化を行ってＡＣＫ送信のビットシーケンスを得ること」及び「２つ以上のビットシーケンスを連結すること」が記載されていると認められる。
　
ｂ　「編集者からの注」の記載によれば，符号化ビットをスクランブルする際に，符号化ビットに含まれるプレースホルダ「ｘ」に対して「違った扱い」がなされることにより，ＡＣＫ送信のために使用されるコンステレーションサイズをＱＰＳＫに制限することが可能となるのであるから，符号化後のデータであるビットシーケンスをスクランブルしていることは明らかであり，「ビットシーケンスをスクランブルする」ものといえ，また，「前記スクランブルは前記ＡＣＫ送信のコンステレーションサイズを制限する」ものといえる。
　
　以上を総合すると，引用例１には以下の発明（以下，「引用発明」という。）が記載されていると認める。
「変調オーダー及びＡＣＫのビット数に基づいて符号化を行ってＡＣＫ送信のビットシーケンスを得ることと，
　２つ以上のビットシーケンスを連結することと，
　ビットシーケンスをスクランブルすること，前記スクランブルは前記ＡＣＫ送信のコンステレーションサイズを制限する，と
　を具備する方法。」
　
［公知事項１］
　同じく原査定の拒絶理由に引用されたMotorola，Control and Data Multiplexing on PUSCH[online]，  3GPP TSG-RAN WG1#52    R1-080741，インターネット＜URL:http://www.3gpp.org/ftp/tsg_ran/WG1_RL1/TSGR1_52/Docs/R1-080741.zip＞，２００８年２月６日（以下，「引用例２」という。）には，「Control and Data Multiplexing on PUSCH」（［当審仮訳］：ＰＵＳＣＨ上での制御情報及びデータの多重化）に関し，図面とともに以下の事項が記載されている。
（イ）「
」
（［当審仮訳］：
１．緒言
　アテネでのＲＡＮ１＃５０会議では，アップリンク信号のシングルキャリアの性質を維持するよう，ＤＦＴの前に，ＰＵＳＣＨ上で制御及びデータを多重化することにおいて進展があった [1]。電力設定，変調方式の選択，及び制御情報のマッピングに関する合意のいくつかは以下のとおり。
（中略）
　・ＡＣＫ／ＮＡＫに関して，符号化，スクランブリング及び変調は，ユークリッド距離を最大にすべきである。
　　○（ＦＤＤの場合の）ＡＣＫ／ＮＡＫに関して，ＰＵＳＣＨの変調方式にかかわらず，制御シグナリングに使用される変調シンボルは，符号化された制御情報のせいぜい２ビットで伝送される。
（中略）
　
２．ＱＰＳＫ変調したＰＵＳＣＨ
　ＰＵＳＣＨのためのＱＰＳＫ変調では，ＵＣＩ（ＡＣＫ／ＮＡＫ，ＣＱＩ／ＰＭＩ）もまた，ＰＵＳＣＨのＱＰＳＫ変調と同じ平均ＵＣＩコンステレーション電力を有するＱＰＳＫ（又は１ビットＡＣＫ／ＮＡＫのためにはＢＰＳＫ　−ＱＰＳＫコンステレーションの対角上の反対位置の点−）を使用することは分かり易い。（中略）
　
３．１６／６４−ＱＡＭ変調したＰＵＳＣＨ
　ＰＵＳＣＨのための高次の１６／６４−ＱＡＭ変調では，ＵＣＩの変調のためのオプションがいくつかある。
　・ユニット電力ＱＰＳＫコンステレーション
　・ユニット電力１６／６４−ＱＡＭコンステレーション（ＰＵＳＣＨと同じ，すべてのコンステレーション位置はほぼ同じ。）
　・１６／６４−ＱＡＭのコンステレーションのサブセットから選択して得たＱＰＳＫ／１６ＱＡＭに似たコンステレーション（すなわち，コンステレーション制限）　）
　
　引用例２の上記記載及び図面並びにこの分野の技術常識を考慮すると，
「ＰＵＳＣＨ上で制御情報及びデータを多重化して送信する場合に，
　ＡＣＫ／ＮＡＫに関して，符号化，スクランブリング及び変調は，ユークリッド距離を最大にすること，
　ＡＣＫ／ＮＡＫに関して，ＰＵＳＣＨの変調方式にかかわらず，制御シグナリングに使用される変調シンボルは，符号化された制御情報のせいぜい２ビットで伝送されること，
　ＱＰＳＫ変調では，ＡＣＫ／ＮＡＫもＱＰＳＫコンステレーション（又は１ビットＡＣＫ／ＮＡＫのためにはＢＰＳＫ　−ＱＰＳＫコンステレーションの対角上の反対位置の点−）を使用すること，　
　１６ＱＡＭのコンステレーションのサブセットから選択して得たＱＰＳＫに似たコンステレーションを使用することにより，コンステレーション制限がなされること。」
は公知であるといえる（以下，「公知事項１」という。）。
　
［公知事項２］
　同じく原査定の拒絶理由に引用されたNokia Siemens Networks, Nokia，ACK/NACK modulation with UL data[online]，  3GPP TSG-RAN WG1#50    R1-073657，インターネット＜URL:http://www.3gpp.org/ftp/tsg_ran/WG1_RL1/TSGR1_50/Docs/R1-073657.zip＞，２００７年８月１５日（以下，「引用例３」という。）には，「ACK/NACK modulation with UL data」（［当審仮訳］：ＵＬデータとともに行うＡＣＫ／ＮＡＣＫの変調）に関し，図面とともに以下の事項が記載されている。
（ウ）「
」
（［当審仮訳］：
１．緒言
　本論文では，ＬＴＥの上りリンクで送信される下りリンクＡＣＫ／ＮＡＣＫについて論じる。ＵＥが，上りリンクデータと，下りリンク伝送に起因するＤＬ　ＡＣＫ／ＮＡＣＫ信号との両方を有する場合に集中して論じる。今までのところ，制御情報及びデータはＤＦＴの前に多重化されることが合意されている。この寄与は，上りリンクデータとともに送信される場合のＤＬ　ＡＣＫ／ＮＡＣＫシグナリングの変調方式を提案する。
  
２．検討
　この章では，ＡＣＫ／ＮＡＣＫシンボルが上りデータシンボルと時間多重化されるときに使用される，ＡＣＫ／ＮＡＣＫビットのマッピング規則を提示する。当該マッピング規則は，送信されるＡＣＫ／ＮＡＣＫビットが，データシンボルで使用されるのと同じコンステレーションにマッピングされるものである。ＡＣＫ／ＮＡＣＫ送信のために，最高電力及び最大ユークリッド距離を有するコンステレーション位置が選択される。データシンボルのために１６ＱＡＭ変調が使用される場合のマッピング規則の例を図１に示す。黒丸はＡＣＫ／ＮＡＣＫ送信のための提案されたコンステレーション位置を示している。また，６４ＱＡＮ変調，２ビットのＡＣＫ／ＮＡＣＫ伝送を考慮した，より詳細なマッピング規則は，付録において考察される。
　
図１　１６ＱＡＭコンステレーションへの１ビットＡＣＫ／ＮＡＣＫのマッピング
　
　異なる変調方式による１ビットＡＣＫ／ＮＡＣＫシグナリングの複素数値変調シンボルx=I+jQへのコンステレーション・マッピングの提案が表１に示される。複素数値は [1]に基づく。
　
表１　ＱＰＳＫ，１６ＱＡＭ及び６４ＱＡＭデータ変調での１ビットＡＣＫ／ＮＡＣＫマッピング
　
　提案されたＡＣＫ／ＮＡＣＫコンステレーション・マッピングの利点は以下のとおり。
　・ＡＣＫ及びＮＡＣＫ信号が互いに対して最大ユークリッド距離を有するという事実に起因する性能最適化。
　・ＡＣＫ／ＮＡＣＫ信号がＰＡＲに影響を与えることなく最大電力を使用することができるという事実により最大化されたＳＮＲ。
　・提案されたマッピングは，１ビットＡＣＫ／ＮＡＣＫ及び２ビットＡＣＫ／ＮＡＣＫシグナリングの両方に使用することができる。
　
３．まとめ
　この寄与では，ＡＣＫ／ＮＡＣＫシンボルが上りリンクデータシンボルと時間多重化されるときに使用される，ＡＣＫ／ＮＡＣＫビットのマッピング規則を提示している。当該マッピング規則は，送信されるＡＣＫ／ＮＡＣＫビットが，データシンボルで使用されるのと同じコンステレーションにマッピングされるものである。最高電力及び最大ユークリッド距離を有するコンステレーション位置が，ＡＣＫ／ＮＡＣＫ送信のために選択される。
　
参照
［１］　3GPP TS 36.211 Physical Channels and Modulation
　
付録
　２ビットＡＣＫ／ＮＡＣＫシグナリングは，例えば，下りリンクで二元符号語ＭＩＭＯ送信が使用されるときに必要とされる。１６ＱＡＭ 及び６４ＱＡＭ変調での２ビットＡＣＫ／ＮＡＣＫシグナリングのためのコンステレーション・マッピングの提案が，表２及び表３に示される。データに１６ＱＡＭ変調が使用される場合の２ビットＡＣＫ／ＮＡＣＫマッピングの例が図２に示される。
　
図２　１６ＱＡＭコンステレーションへの２ビットＡＣＫ／ＮＡＣＫマッピング
　
データ伝送に１６ＱＡＭ変調が使用される場合，ＡＣＫ／ＮＡＣＫシグナリングビットの対は，表２に従って複素数値変調シンボルx=I+jQにマッピングされる。
　
表２　１６ＱＡＭでの２ビットＡＣＫ／ＮＡＣＫマッピング
　
６４ＱＡＭ変調の場合，ビットの対は表３に従って複素数値変調シンボルx=I+jQにマッピングされる。
　
表３　６４ＱＡＭでの２ビットＡＣＫ／ＮＡＣＫマッピング　　）
　
　引用例３の上記記載及び図面並びにこの分野の技術常識を考慮すると，
　図１によれば，１ビットＡＣＫ／ＮＡＣＫは１６ＱＡＭのコンステレーションの右上及び左下の２つの角にマッピングされ，図２によれば，２ビットＡＣＫ／ＮＡＣＫは１６ＱＡＭのコンステレーションの４つの角にマッピングされることがみてとれる。
　
　したがって，
「下りリンク伝送に起因するＤＬ　ＡＣＫ／ＮＡＣＫ信号が上りリンクデータと時間多重化されるときに使用される，ＬＴＥの上りリンクで送信されるＡＣＫ／ＮＡＣＫビットのマッピング規則として，
　送信されるＡＣＫ／ＮＡＣＫビットが，データシンボルで使用されるのと同じコンステレーションにマッピングされ，
　ＡＣＫ／ＮＡＣＫ送信のために，最高電力及び最大ユークリッド距離を有するコンステレーション位置が選択され，
　例えば，１ビットＡＣＫ／ＮＡＣＫは１６ＱＡＭのコンステレーションの右上及び左下の２つの角にマッピングされ，２ビットＡＣＫ／ＮＡＣＫは１６ＱＡＭのコンステレーションの４つの角にマッピングされること。」
は公知であるといえる（以下，「公知事項２」という。）。
　
［公知事項３］
　同じく原査定の拒絶査定に例示され，審尋に添付した審査官が作成した前置報告書に引用されている3GPP TS36.211，２００８年３月２０日，p.13,61-63，ＵＲＬ，http://www.3gpp.org/ftp/Specs/archive/36_series/36.211/36211-820.zip（以下，「引用例４」という。）には，「Physical Channels and Modulation」（［当審仮訳］：物理チャネル及び変調）に関し，図面とともに以下の事項が記載されている。
（エ）「
」（１３頁，６１〜６３頁）
（［当審仮訳］：
５．３　物理上り共通チャネル
　物理上り共通チャネルを代表しているベースバンド信号は，以下のステップの点から定義される。
　−スクランブリング
　−複素数値シンボルを生成する，スクランブルされたビットの変調
　−複素数値シンボルを生成する，プリコーディング変換
　−複素数値シンボルのリソース要素へのマッピング
　−各アンテナポートのための複素数値である時間領域ＳＣ−ＦＤＭＡ信号の生成
　
図５．３−１　上り物理チャネル処理の概観
　
５．３．１　スクランブリング
　ビットb(0),...,b(Mbit-1)のブロックは，変調する前にＵＥ固有のスクランブリング・シーケンスでスクランブルされるべきである。ここで，Mbitは一つのサブフレームにおける物理上りリンク共有チャネル上で送信されるビットの数である。その結果，b~(i)=(b(i)+c(i))mod2に従って，スクランブルされたビットb~(0),..., b~(Mbit-1)のブロックとなる。ここで，スクランブリング・シーケンス c(i)は，セクション７．２で与えられる。スクランブリング・シーケンスの生成器は，各サブフレームの開始時に Cinit=nRNTI・214+[ns/2]・29+NIDcell に初期化されなければならない。）
　
　引用例４の上記記載及び図面並びにこの分野の技術常識を考慮すると，
「物理上り共通チャネル（ＰＵＳＣＨ）における送信において，データをb~(i)=(b(i)+c(i))mod2　（ここでc(i)はスクランブリング・シーケンスであり，Cinit=nRNTI・214+[ns/2]・29+NIDcell 　）に従ってスクランブルすること。」
は公知であるといえる（以下，「公知事項３」という。）。
　
　また，引用例４の６１〜６３頁には，「7 Generic functions」（［当審仮訳］：一般的な機能）として，１６ＱＡＭ，６４ＱＡＭおけるマッピングとして本願明細書の【表３】，【表４】と同様の表が記載されており，
「１６ＱＡＭにおいてはb(i+2)，b(i+3)ビットが共に「１」であるビットシーケンスはコンステレーションの４角にマッピングされ，６４ＱＡＭにおいてはb(i+2)，b(i+3)，b(i+4)，b(i+5)ビットが共に「１」であるビットシーケンスはコンステレーションの４角にマッピングされるものであり，b(i+0)，b(i+1)ビットの値によりいずれの角かが特定される。」
ことは公知であるといえる（以下，「公知事項４」という。）。
　
ウ　対比・判断
　補正後の発明と引用発明とを対比すると，
（ア）本願明細書の【００２３】〜【００２５】の記載によれば，補正後の発明の「ビットシーケンスを得るための変調オーダー及び，前記ACKのサイズの関数としてACK送信を符号化すること」は，HARQ-ACKのビット数及び変調オーダーに基づいて【表１】，【表２】のように符号化がなされることであり，当該表中の「ｘ」はエスケープ文字列を表すものであるから，引用例１の表５．２．２−１，表５．２．２−２に従った符号化と実質的に差異は無い。
　したがって，引用発明の「変調オーダー及びＡＣＫのビット数に基づいて符号化を行ってＡＣＫ送信のビットシーケンスを得ること」は，補正後の発明の「ビットシーケンスを得るための変調オーダー及び，前記ACKのサイズの関数としてACK送信を符号化すること」に相当する。
　
（イ）本願明細書の【００２６】〜【００２９】の記載によれば，補正後の発明の「前記変調オーダーの関数として２つ以上のビットシーケンスを結合すること」は，【表１】，【表２】のように符号化されたHARQ-ACKブロックが連結されることであり，QPSK変調では，２のセットの中で多重に符号化されたHARQ-ACKブロックの連結を取り，１６QAM変調では，４のセットの中で多重に復号化されたHARQ-ACKブロックの連結を取り，さらに，６４QAM変調では，６のセットの中で多重に復号化されたHARQ-ACKブロックの連結を取ることである。
　他方，引用例１には本願明細書の【数１】〜【数５】と実質的に同じ内容が記載されており，それによれば，ＨＡＲＱ−ＡＣＫ情報が表５．２．２−１，表５．２．２−２に従ってチャンネル符号化され，多数の符号化されたＨＡＲＱ−ＡＣＫブロックが連結されたビットシーケンスq0ACK，q1ACK，q2ACK，・・・，qQACK-1ACK（QACKは全ての符号化されたＨＡＲＱ−ＡＣＫブロックの符号化ビット数の合計）が，ベクトルシーケンス出力q_0ACK，q_1ACK，・・・，q_Q'ACK-1ACK　（ここで，Q'ACK = QACK / Qm 。）として出力されるものと解される。
　そして，上記イの［引用発明］で検討したとおり，「Qm」は，各変調方式の変調オーダーに対応するものである。
　そうすると，引用発明における「２つ以上のビットシーケンスを連結すること」は，表５．２．２−１，表５．２．２−２に従って符号化されたビットシーケンスを，変調オーダーに対応するQm個の符号化ビットからなるベクトルとして多数連結することともいえるから，変調オーダーと相関関係を有することは明らかであり，変調オーダーの関数として行われるものということができる。
　したがって，引用発明の「２つ以上のビットシーケンスを連結すること」は，補正後の発明の「前記変調オーダーの関数として２つ以上のビットシーケンスを結合すること」に相当する。
　
（ウ）補正後の発明の「スクランブリング」なる用語と引用発明の「スクランブル」なる用語とは，表現が異なるのみであって実質的な差異は無い。
　また，引用発明は，ＰＵＳＣＨにおけるＡＣＫ送信のために使用されるコンステレーションサイズをＱＰＳＫに制限することを可能にするものであるところ，ＰＵＳＣＨはデータ送信に使用されるものであることは技術常識であり，更に，制御情報とデータとはＰＵＳＣＨ上で多重化され同じコンステレーションを使用することが，公知事項１及び２のとおり，本願の優先日前において周知であったことにも鑑みれば，引用発明のＡＣＫ送信のために使用されるコンステレーションはデータチャネルに組み込まれたものであることは明らかである。
　したがって，補正後の発明の「前記ACK送信及び前記変調オーダーの前記サイズの関数として前記結合したビットシーケンスをスクランブリングすること，前記スクランブリングは前記ACK送信の前記サイズに基づいてデータチャネルに組み込まれた前記ACK送信のコンステレーションサイズを制限する，前記ACK送信の前記サイズは前記コンステレーションの角が得られるように前記変調オーダーより小さい」と，引用発明の「ビットシーケンスをスクランブルすること，前記スクランブルは前記ＡＣＫ送信のコンステレーションサイズを制限する」とは，以下の相違点２，３は別として，「ビットシーケンスをスクランブリングすること，前記スクランブリングはデータチャネルに組み込まれた前記ACK送信のコンステレーションサイズを制限する」点で差異は無い。
　
（エ）引用例１は３ＧＰＰのＥ−ＵＴＲＡにおける多重化及びチャネル符号化に係る規格であり，上記摘記は上りリンク共通チャネルでＨＡＲＱ−ＡＣＫを送信することに関するものであるところ，ＡＣＫはある装置からのパケットの受信に応答して当該装置に送信されるものであることは技術常識であるから，引用例１には特に明記はされていないが，ＡＣＫ送信である以上，引用発明も補正後の発明と同じく「少なくとも一つの装置からパケットの受信に応答してＡＣＫ送信を前記少なくとも一つの装置に送信すること」なる構成を有していることは明らかである。
　
　以上を総合すると，補正後の発明と引用発明とは，以下の点で一致し，また，相違している。
（一致点）
「ビットシーケンスを得るための変調オーダー及び，前記ACKのサイズの関数としてACK送信を符号化することと，
　前記変調オーダーの関数として２つ以上のビットシーケンスを結合することと，
　ビットシーケンスをスクランブリングすること，前記スクランブリングはデータチャネルに組み込まれた前記ACK送信のコンステレーションサイズを制限する，と
　少なくとも一つの装置からパケットの受信に応答してACK送信を前記少なくとも一つの装置に送信することと，
　を具備する方法。」
　
（相違点１）
　補正後の発明は「肯定応答（ACK）に関するユークリッド距離を最大にすることに関する方法」であるのに対して，引用発明は，ＡＣＫ送信のコンステレーションサイズを制限するものの，肯定応答（ACK）に関するユークリッド距離について明らかでない点。
　
（相違点２）
　「スクランブリング」に関し，補正後の発明は「前記ACK送信及び前記変調オーダーの前記サイズの関数として前記結合したビットシーケンスをスクランブリングする」のに対し，引用発明はスクランブルの具体的内容を明らかにしておらず，引用発明において「前記ACK送信及び前記変調オーダーの前記サイズの関数として」スクランブルすることは明らかでなく，また，スクランブルするビットシーケンスが「結合した」ものか否かも明らかでない点。
　
（相違点３）
　「スクランブリング」に関し，補正後の発明は「前記スクランブリングは前記ACK送信の前記サイズに基づいてデータチャネルに組み込まれた前記ACK送信のコンステレーションサイズを制限する」のに対し，引用発明はスクランブルの具体的内容を明らかにしておらず，引用発明におけるスクランブルがACK送信のサイズに基づくものか否かは明らかでなく，また，補正後の発明において「前記ACK送信の前記サイズは前記コンステレーションの角が得られるように前記変調オーダーより小さい」のに対し，引用発明では当該事項が明らかでない点。
　
　以下，上記各相違点について検討する。
（相違点１）について
　公知事項１及び公知事項２のとおり，ＡＣＫ送信においてＡＣＫに関するユークリッド距離を最大にすることは周知といえ，引用発明においても性能最適化を意図して肯定応答（ACK）に関するユークリッド距離を最大にするようにすることは，上記周知の事項に基づいて当業者が容易になし得ることである。
　
（相違点２）について
ａ　本願明細書の【００３３】〜【００５１】の記載から，補正後の発明の「前記ACK送信及び前記変調オーダーの前記サイズの関数として前記結合したビットシーケンスをスクランブリングすること」は，HARQ-ACKのビット数が１ビットか２ビットか，変調オーダーが２，４，６のいずれであるかにより，【数６】，【数１１】，【数１３】，【数１５】，【数１７】，【数１９】のいずれかのように符号化されたビットシーケンスが，それぞれ【数７】，【数１２】，【数１４】，【数１６】，【数１８】，【数２０】のいずれかとしてスクランブルされることを含むものと認められる。
　他方，上記イの［引用発明］で検討したとおり，引用例１には，ＡＣＫビット数が１ビットか２ビットか，変調オーダーが２，４，６のいずれであるかにより，表５．２．２−１又は表５．２．２−２に従って符号化された符号化ビットのビットシーケンスをスクランブルすることが記載されている。
　そして，引用例１の上記の記載によれば，上記符号化ビットのプレースホルダ「ｘ」は，ＡＣＫビットの数，及び各変調方式の変調オーダーに対応するQmに基づいて決まるものといえ，上記符号化ビットのビットシーケンスをスクランブルする際に，上記プレースホルダ「ｘ」に対応するビットに対して違った扱いをすることにより，ＰＵＳＣＨにおけるＡＣＫ送信のために使用されるコンステレーションサイズをＱＰＳＫに制限することが可能となるものである。
　そうすると，引用発明のビットシーケンスのスクランブルは，ＡＣＫビットの数及びQmに基づいて決まる上記プレースホルダ「ｘ」に関係しているといえるから，「ＡＣＫ送信及び変調オーダーのサイズの関数として」行うものということができる。
　
ｂ　上記イの［引用発明］で検討したとおり，引用発明は，「２つ以上のビットシーケンスを連結する」こと，「ビットシーケンスをスクランブルする」こと，及び「前記スクランブルは前記ＡＣＫ通信のコンステレーションサイズを制限する」ことを含むものである。
　そして，上記（イ）で検討したとおり，引用発明における「２つ以上のビットシーケンスを連結する」ことは，表５．２．２−１，表５．２．２−２に従って符号化されたビットシーケンスを，変調オーダーに対応するQm個の符号化ビットからなるベクトルとして多数連結することともいえる。
　また，上記ａで検討したとおり，引用発明において，符号化ビットの「ビットシーケンスをスクランブルする」際，ＡＣＫビットの数，及び変調オーダーに対応するQmに基づいて決まる，符号化ビットのプレースホルダ「ｘ」に対応するビットに対し，違った扱いをすることにより，ＰＵＳＣＨにおけるＡＣＫ送信のために使用されるコンステレーションをＱＰＳＫに制限することが可能となる。
　そうすると，引用発明において，「２つ以上のビットシーケンスを連結」した場合，すなわち，表５．２．２−１，表５．２．２−２に従って符号化されたビットシーケンスを，変調オーダーに対応するQm個の符号化ビットからなるベクトルとして多数連結した場合でも，上記のベクトル毎に「ビットシーケンスをスクランブルする」ことで，プレースホルダ「ｘ」に対応するビットに対して違った扱いがされ，その結果，ＰＵＳＣＨにおけるＡＣＫ送信のために使用されるコンステレーションをＱＰＳＫに制限できること，すなわち，「ＡＣＫ通信のコンステレーションサイズを制限」できることは，引用例１の記載に接した当業者には自明な事項である。
　以上によれば，引用例１の記載から，引用発明が「結合したビットシーケンスをスクランブリングする」ことを含むことは自明であり，仮にそうでないとしても，引用発明において，「結合したビットシーケンスをスクランブリングする」ことは，当業者が当然に行い得るものである。
　
ｃ　したがって，引用例１の記載より，引用発明は，「前記ＡＣＫ送信及び前記変調オーダーのサイズの関数として前記結合したビットシーケンスをスクランブリングする」ものといえるから，相違点２は，補正後発明と引用発明との実質的な相違点とはいえない。
　また，仮にそうでないとしても，相違点２は，引用例１の記載より，引用発明において当業者が適宜なし得たものというべきである。
　
（相違点３）について
ｄ　引用例１には，「ＰＵＳＣＨにおけるＡＣＫ送信のために使用されるコンステレーションサイズをＱＰＳＫに制限することを可能にする」と記載されているが，当該記載は「可能にする」というのみであって，ＱＰＳＫ以外を排除するものではない。
　そして，１ビット情報は２つのコンステレーション位置（ＢＰＳＫ）により表現することができ，２ビット情報は４つのコンステレーション位置（ＱＰＳＫ）により表現することができることは技術常識であるところ，公知事項１，２のとおり，１ビットＡＣＫではＢＰＳＫに似たコンステレーション（ＱＰＳＫコンステレーションの対角上の反対位置の点）を使用し，２ビットＡＣＫではＱＰＳＫに似たコンステレーションを使用することが本願の優先日以前に知られている。
　そうすると，引用発明のスクランブルを「ACK送信のサイズに基づいてデータチャネルに組み込まれたACK送信のコンステレーションサイズを制限する」ようにすることは，公知事項１及び２に基づいて，当業者が容易になし得ることである。
　
ｅ　相違点１について検討したとおり，引用発明において，ＡＣＫに関するユークリッド距離を最大にすることは，公知事項１及び２に基づいて，当業者が容易になし得たものである。
　そして，コンステレーションの角が，最大のユークリッド距離を有するコンステレーション位置となることは，当該技術分野ではよく知られていることであり，公知事項２のとおり，引用例３には，１ビットＡＣＫ／ＮＡＣＫが１６ＱＡＭのコンステレーションの右上及び左下の２つの角にマッピングされ，２ビットＡＣＫ／ＮＡＣＫが１６ＱＡＭのコンステレーションの４つの角にマッピングされることが記載されている。
　そうすると，引用発明において，公知事項１及び２に基づいて，ＡＣＫに関するユークリッド距離を最大にする際に，ＡＣＫをＱＰＳＫ，１６ＱＡＭ，６４ＱＡＭの各コンステレーションの角の位置をマッピングすることは，当業者が適宜行い得るものというべきである。
　そして，ＡＣＫ送信に使用されるコンステレーションは，コンステレーションサイズが実質的にＢＰＳＫ又はＱＰＳＫに制限されるのであるから，データ送信に使用されるＱＰＳＫ，１６ＱＡＭ，６４ＱＡＭよりの変調オーダー以下であることは明らかである。
　
　
　なお，補正後の発明は，本願明細書の【数６】，【数１１】，【数１３】，【数１５】，【数１７】，【数１９】のいずれかのように符号化されたビットシーケンスが，それぞれ【数７】，【数１２】，【数１４】，【数１６】，【数１８】，【数２０】のいずれかとしてスクランブルされることや，スクランブルが【数９】，【数１０】のようになされることまで特定していないが，これらについても以下のとおり特段の困難性は見出せない。
　【数９】，【数１０】のようなスクランブル処理は，公知事項３のとおり，普通に行われていることにすぎない。また，公知事項４のとおり，１６ＱＡＭにおいてはb(i+2)，b(i+3)ビットが共に「１」であるビットシーケンスはコンステレーションの４角にマッピングされ，６４ＱＡＭにおいてはb(i+2)，b(i+3)，b(i+4)，b(i+5)ビットが共に「１」であるビットシーケンスはコンステレーションの４角にマッピングされるものであり，b(i+0)，b(i+1)ビットによりいずれの角かが特定されることは，当業者に公知の事実である。更に，公知事項１のとおり，ＡＣＫ／ＮＡＫに関する符号化，スクランブリング及び変調が，ユークリッド距離を最大にするものである。そうすると，引用発明の符号化における「ｘ」は符号化ビットのスクランブルを実行する際にこの値のビットを違った扱いをするプレースホルダであることに鑑みれば，符号化ビット「ｘ」のスクランブルの際にこれを「１」とすることによりコンステレーションの角にマッピングしてユークリッド距離を最大にすることは，格別困難な事項ではなく，当業者が容易になし得ることである。
　
　
ｆ　以上のとおりであるから，引用発明において，スクランブルを「前記スクランブリングは前記ACK送信の前記サイズに基づいてデータチャネルに組み込まれた前記ACK送信のコンステレーションサイズを制限する」こと，及び「前記ACK送信の前記サイズは前記コンステレーションの角が得られるように前記変調オーダーより小さい」とすることは，いずれも，公知事項１及び２に基づいて，当業者が容易になし得ることである。
　
　そして，補正後の発明の作用効果も，引用発明及び公知事項１ないし４に基づいて当業者が予測できる範囲のものである。
　
　以上のとおり，補正後の発明は，引用発明及び公知事項１ないし４に基づいて当業者が容易に発明をすることができたものであるから，特許法第２９条第２項の規定により特許出願の際独立して特許を受けることができないものである。
　
３　結語
　したがって，本件補正は，補正後の発明が特許出願の際独立して特許を受けることができないものであるから，特許法第１７条の２第６項において準用する同法第１２６条第７項の規定に違反するので，同法第１５９条第１項において読み替えて準用する同法第５３条第１項の規定により却下すべきものである。
　
　
第３　本願発明について
１　本願発明
　平成２５年８月２日付けの手続補正は上記のとおり却下されたので，本願発明は，上記「第２　補正却下の決定」の項中の「１　本願発明と補正後の発明」の項の「本願発明」のとおりのものと認める。
　
２　引用発明及び公知事項
　引用発明は，上記「第２　補正却下の決定」の項中の「２　補正の適否」の項中の「（２）独立特許要件」の項中の「イ　引用発明及び公知事項」の項で認定したとおりである。
　
３　対比・判断
　そこで，本願発明と引用発明とを対比するに，本願発明は補正後の発明から当該補正に係る限定を省いたものである。
　そうすると，本願発明の構成に当該補正に係る限定を付加した補正後の発明が，上記「第２　補正却下の決定」の項中の「２　補正の適否」の項中の「（２）独立特許要件」の項中の「ウ　対比・判断」の項で検討したとおり，引用発明及び公知事項１ないし４に基づいて容易に発明できたものであるから，本願発明も同様の理由により，容易に発明できたものである。
　
４　むすび
　以上のとおり，本願発明は，引用発明及び公知事項１ないし４に基づいて当業者が容易に発明をすることができたものであるから，特許法第２９条第２項の規定により，特許を受けることができない。
　
　よって，結論のとおり審決する。